(57)【要約】  本開示の一実施形態の発光装置は、実装面に２次元配置された側面出射型の複数の発光素子と、各発光素子と対向する位置に配置され、下面および上面に光の入出射を制御する凹凸層を有する導光板とを備えている。この発光装置は、さらに、実装面および下面のうち少なくとも下面に固定され、各発光素子からの出射光を下面に向かって反射する反射部を有する反射構造体を備えている。
2017169123.tif 000002
【特許請求の範囲】
【請求項１】
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を備えた
発光装置。
【請求項２】
前記反射構造体は、前記反射部と、前記下面に固定された部分とによって構成された、三角形もしくは台形を単位とした構造体を有する
請求項１に記載の発光装置。
【請求項３】
前記実装面を有する配線基板をさらに備え、
前記反射構造体は、前記実装面と前記下面との間隙に配置されるとともに、前記実装面および前記下面の双方に固定されている
請求項２に記載の発光装置。
【請求項４】
前記反射構造体は、前記反射部に囲まれた複数の開口部を有し、
各前記発光素子は、前記開口部内に１つずつまたは複数個ずつ配置されている
請求項３に記載の発光装置。
【請求項５】
各前記発光素子は、前記実装面側の面に電極が設けられたフリップチップ構造を有する発光ダイオードである
請求項１に記載の発光装置。
【請求項６】
前記導光板の前記下面に設けられた前記凹凸層は、各前記発光素子と非対向の位置に屈折透過部を有するとともに、各前記発光素子と対向する位置に拡散反射部を有する
請求項１に記載の発光装置。
【請求項７】
前記配線基板は、前記実装面のうち、各前記発光素子の周縁に相対的に反射率の低い第１反射面を有するとともに、各前記第１反射面の周縁に相対的に反射率の高い第２反射面を有する
請求項３に記載の発光装置。
【請求項８】
照明光を出射する発光装置と、
前記発光装置と重なり合うように配置され、前記照明光を利用して画像を表示する表示パネルと
を備え、
前記発光装置は、
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を有する
表示装置。
【請求項９】
照明光を出射する発光装置を備え、
前記発光装置は、
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を有する
照明装置。
【発明の詳細な説明】
【技術分野】
【０００１】
本開示は、発光装置ならびにこれを備えた表示装置および照明装置に関する。
【背景技術】
【０００２】
近年、液晶表示装置等の表示装置は、表示パネルや電子部品の技術の進歩により、表示装置の薄型化が進展している（例えば特許文献１参照）。
【先行技術文献】
【特許文献】
【０００３】
【特許文献１】特開２００５−３８７７６号公報
【発明の概要】
【０００４】
ところで、最近では、照明光の面内均一性を損なわずに更に薄型化することが要望されている。照明光の面内均一性を損なわずに更なる薄型化を図ることの可能な発光装置ならびにこれを備えた表示装置および照明装置を提供することが望ましい。
【０００５】
本開示の一実施形態の発光装置は、実装面に２次元配置された側面出射型の複数の発光素子と、各発光素子と対向する位置に配置され、下面および上面に光の入出射を制御する凹凸層を有する導光板とを備えている。この発光装置は、さらに、実装面および下面のうち少なくとも下面に固定され、各発光素子からの出射光を下面に向かって反射する反射部を有する反射構造体を備えている。
【０００６】
本開示の一実施形態の表示装置は、照明光を出射する発光装置と、発光装置と重なり合うように配置され、照明光を利用して画像を表示する表示パネルとを備えている。この表示装置に設けられた発光装置は、上記の発光装置と同一の構成要素を有している。
【０００７】
本開示の一実施形態の照明装置は、照明光を出射する発光装置を備えている。この照明装置に設けられた発光装置は、上記の発光装置と同一の構成要素を有している。
【０００８】
本開示の一実施形態の発光装置、表示装置および照明装置では、側面出射型の複数の発光素子が実装面に設けられており、各発光素子からの出射光が反射構造体の反射部によって導光板の下面に向かって反射される。これにより、導光板から出射される照明光の面内均一性を確保するために必要とされる、各発光素子と導光板とのクリアランスを、上面出射型の発光素子を備えた発光装置と比べて、狭くすることができる。また、本開示の一実施形態の発光装置、表示装置および照明装置では、導光板の下面および上面に光の入出射を制御する凹凸層が設けられている。これにより、各発光素子と導光板とのクリアランスが狭い場合であっても、導光板から出射される照明光の面内均一性を凹凸層によって確保することができる。また、本開示の一実施形態の発光装置、表示装置および照明装置では、反射構造体が実装面および導光板の下面のうち少なくとも導光板の下面に固定されている。これにより、反射構造体と導光板の凹凸層との位置関係を固定することができるので、例えば、凹凸層に対して、各発光素子との位置関係に応じた構造を付与することができる。その結果、導光板から出射される照明光の面内均一性を凹凸層によって確保することができる。
【０００９】
本開示の一実施形態の発光装置、表示装置および照明装置によれば、側面出射型の複数の発光素子からの出射光を反射構造体によって導光板の下面に向かって反射するとともに、導光板の凹凸層によって照明光の面内均一性を確保するようにし、さらに、反射構造体と導光板の凹凸層との位置関係を固定するようにしたので、照明光の面内均一性を損なわずに更なる薄型化を図ることができる。なお、本開示の効果は、ここに記載された効果に必ずしも限定されず、本明細書中に記載されたいずれの効果であってもよい。
【図面の簡単な説明】
【００１０】
【図１】本開示の第１の実施の形態に係る発光装置の全体構成例を表す断面図である。
【図２】図１に示した発光装置の要部構成例を表す拡大断面図である。
【図３】図１に示した発光素子の構成例を表す断面図である。
【図４】図３に示した発光素子の配光特性の一例を表す図である。
【図５】図１に示した実装基板および反射構造体の構成例を表す平面図である。
【図６】図１に示した導光板の下面の凹凸層の構成例を表す断面図である。
【図７】図６に示した凹凸層の構成例を表す平面図である。
【図８】本開示の第２の実施の形態に係る表示装置の全体構成例を表す断面図である。
【図９】図１、図８に示した発光装置の要部構成例を表す拡大断面図である。
【図１０】図１、図８に示した実装基板および反射構造体の構成例を表す平面図である。
【図１１】図１、図８に示した発光装置の要部構成例を表す拡大断面図である。
【図１２】図１、図８に示した発光装置の要部構成例を表す拡大断面図である。
【図１３】図１、図８に示した実装基板および反射構造体の構成例を表す平面図である。
【図１４】図１、図８に示した反射構造体の構成例を表す平面図である。
【図１５】本開示の表示装置を搭載したタブレット型端末装置（適用例１）の外観を表す斜視図である。
【図１６】本開示の表示装置を搭載した他のタブレット型端末装置（適用例１）の外観を表す斜視図である。
【図１７】本開示の発光装置を備えた第１の照明装置の外観を表す斜視図である。
【図１８】本開示の発光装置を備えた第２の照明装置の外観を表す斜視図である。
【図１９】本開示の発光装置を備えた第３の照明装置の外観を表す斜視図である。
【発明を実施するための形態】
【００１１】
以下、本開示の実施の形態について図面を参照して詳細に説明する。なお、説明は以下の順序で行う。
１．第１の実施の形態（発光装置）
２．第２の実施の形態（表示装置）
３．発光装置の変形例
４．表示装置の適用例
５．照明装置の適用例
【００１２】
＜１．第１の実施の形態＞
［発光装置１の構成］
図１は、本開示の第１の実施の形態の発光装置１の全体構成例を表した断面図である。図２は、発光装置１の全体構成例を表す断面図である。発光装置１は、例えば、透過型の光変調パネルを背後から照明するバックライトとして、あるいは室内等において照明装置として用いられるものである。発光装置１は、例えば、実装基板１０、反射構造体２０、導光板３０、光学シート４０およびシャーシ５０を備えている。
【００１３】
（実装基板１０）
実装基板１０は、実装面１１Ｓを有する配線基板１１と、実装面１１Ｓに２次元配置された側面出射型の複数の発光素子１２とを有している。実装基板１０は、さらに、例えば、各発光素子１２を駆動する駆動ＩＣ１３（後述の図４参照）を実装面１１Ｓに有している。駆動ＩＣ１３は、配線基板１１とは異なる配線基板上に実装されていてもよい。配線基板１１は、例えば、フィルム状の樹脂基板の上に配線層が設けられたものである。
【００１４】
図３は、発光素子１２の構成例を表す断面図である。各発光素子１２は、例えば、実装面１１Ｓ側の面に電極（後述のｐ側電極１２５およびｎ側電極１２６）が設けられたフリップチップ構造を有する発光ダイオードである。各発光素子１２は、フェイスダウンタイプの発光素子であり、例えば、透光性基板１２１の下面側に半導体積層構造を有している。この半導体積層構造は、例えば、ｎ型半導体層１２２、活性層１２３およびｐ型半導体層１２４が透光性基板１２１側からこの順に積層された構造となっている。この半導体積層構造では、ｎ型半導体層１２２の一部が露出しており、ｎ型半導体層１２２の露出面にｎ側電極１２６が設けられている。さらに、ｐ型半導体層１２４の表面にｐ側電極１２５が設けられている。透光性基板１２１は、例えば、サファイア基板や、炭化珪素（ＳｉＣ）などによって構成されている。ｎ型半導体層１２２は、例えば、ｎ型窒化物半導体（例えば、ｎ型ＧａＮ）によって構成されている。活性層１２３は、例えば、量子井戸構造を有する窒化物半導体（例えば、ｎ型ＧａＮ）によって構成されている。ｐ型半導体層１２４は、例えば、ｐ型窒化物半導体（例えば、ｐ型ＧａＮ）によって構成されている。ｐ側電極１２５およびｎ側電極１２６は、例えば、Ａｌなどの金属材料によって構成されている。
【００１５】
各発光素子１２は、さらに、例えば、実装面１１Ｓとは反対側の面（透光性基板１２１の表面）に反射層１２７を有している。反射層１２７は、例えば、銀蒸着膜、アルミニウム蒸着膜、または多層反射膜などにより構成されている。各発光素子１２では、活性層１２３から発せられた光が、反射層１２７やｐ側電極１２５、ｎ側電極１２６で反射され、側面１２Ａから外部に出射される。各発光素子１２は、例えば、図４に示したような配光特性を有しており、実装面１１Ｓに垂直な方向よりも、むしろ、実装面１１Ｓと平行な方向に強い光を発するようになっている。なお、各発光素子１２において、活性層１２３から発せられた光の一部が、反射層１２７を介して外部に漏れ出ている。また、各発光素子１２は、上で例示した材料系以外の材料系で構成されていてもよい。各発光素子１２は、例えば、樹脂で覆われていない裸のチップで構成されている。各発光素子１２の側面および上面を覆うように、樹脂で構成されたレンズが設けられていてもよい。
【００１６】
（反射構造体２０）
反射構造体２０は、実装面１１Ｓと導光板３０（導光板３０の下面３０ａ）との間隙に配置されている。反射構造体２０は、実装面１１Ｓおよび導光板３０（導光板３０の下面３０ａ）の双方に固定されている。反射構造体２０は、例えば、各発光素子１２からの出射光を導光板３０（導光板３０の下面３０ａ）に向かって反射する反射部２０Ａを有している。反射構造体２０は、さらに、例えば、反射部２０Ａの他に、導光板３０（導光板３０の下面３０ａ）に固定された部分（平坦部２０Ｂ）を有している。反射構造体２０は、反射部２０Ａと、平坦部２０Ｂとによって構成された、台形を単位とした構造体を有している。反射構造体２０は中空構造となっており、その中空構造内に複数の発光素子１２が配置されている。
【００１７】
平坦部２０Ｂは、接合層２１を介して導光板３０（導光板３０の下面３０ａ）に固定されている。反射部２０Ａのうち、実装基板１０側の端部は、接合層２１を介して実装基板１０（実装面１１Ｓ）に固定されている。接合層２１，２２は、例えば、接着剤、または、粘着剤によって構成されている。反射部２０Ａおよび平坦部２０Ｂによって構成された構造体は、接合層２１，２２によって実装基板１０（実装面１１Ｓ）および導光板３０（導光板３０の下面３０ａ）に固定されている。これにより、反射部２０Ａおよび平坦部２０Ｂによって構成された構造体にかかる荷重は、全て、節点（反射構造体２０のうち、接合層２１，２２に接する部分）に作用して、反射構造体２０には、引張応力と圧縮応力のみが作用する。従って、反射構造体２０は、たわみにくい構造となっている。
【００１８】
図５は、実装基板１０および反射構造体２０の平面構成の一例を表したものである。反射構造体２０は、反射部２０Ａに囲まれた複数の開口部２０Ｈを有している。各発光素子１２は、開口部２０Ｈ内に１つずつ配置されている。開口部２０Ｈ内には、実装面１１Ｓが露出している。実装面１１Ｓが、例えば、白色のレジスト層で覆われている場合には、実装面１１Ｓは、高反射面として機能する。複数の開口部２０Ｈが行列状に配置されている場合には、平坦部２０Ｂの平面形状は、格子状となっている。反射構造体２０は、例えば、モールドによって成型されたシート状の樹脂成型体である。
【００１９】
（導光板３０）
導光板３０は、各発光素子１２と対向する位置に配置されている。導光板３０は、例えば、板状の導光層３１と、導光板３０の下面３０ａおよび上面３０ｂに光の入出射を制御する凹凸層３２，３３を有している。導光層３１は、例えば、透光性のガラス基板、または、透光性の樹脂基板によって構成されている。凹凸層３２は、例えば、導光層３１の下面に固定された、凹凸を有するフィルムによって構成されている。凹凸層３３は、例えば、導光層３１の上面に固定された、凹凸を有するフィルムによって構成されている。凹凸層３２，３３は、導光層３１を構成する部材の表面に形成されたものであってもよい。
【００２０】
凹凸層３２は、実装基板１０の法線方向において各発光素子１２と非対向の位置に配置された屈折透過部３２Ａと、実装基板１０の法線方向において各発光素子１２と対向する位置に配置された拡散反射部３２Ｂとを有している。
【００２１】
屈折透過部３２Ａは、各発光素子１２からの出射光を屈折透過させて、導光層３１内を伝播させる機能を有している。屈折透過部３２Ａは、例えば、図６、図７に示したように、同心円状に配置された環状の複数の凸部３２ａによって構成されている。図６は、屈折透過部３２Ａおよび拡散反射部３２Ｂの構成例を表す断面図である。図７は、屈折透過部３２Ａおよび拡散反射部３２Ｂの構成例を表す平面図である。屈折透過部３２Ａは、図６、図７に示した構成に限定されるものではない。
【００２２】
複数の凸部３２ａは、例えば、発光素子１２からの距離に応じた立体形状となっている。複数の凸部３２ａのうち、発光素子１２に最も近いものは、例えば、傾斜角の急峻な三角凸部となっており、発光素子１２からの出射光の多くを反射する。複数の凸部３２ａのうち、発光素子１２から最も遠いものは、例えば、傾斜角の緩やかな三角凸部となっており、発光素子１２からの出射光の多くを屈折透過させて、導光層３１内に伝播させる。複数の凸部３２ａのうち、発光素子１２に最も近いものと発光素子１２から最も遠いものとの間にあるものは、傾斜角が発光素子１２に最も近いものの傾斜角と発光素子１２から最も遠いものの傾斜角との間の角度を有する三角凸部となっており、発光素子１２からの出射光の一部を反射させたり、屈折透過させて導光層３１内に伝播させたりする。
【００２３】
拡散反射部３２Ｂは、各発光素子１２のうち主として反射層１２７を介して外部に出射された光を拡散反射して、各発光素子１２からの出射光が導光層３１のうち各発光素子１２の直上部分に集中して入射するのを防止する機能を有している。拡散反射部３２Ｂは、例えば、ドット状の複数の凸部を含んで構成されている。拡散反射部３２Ｂは、例えば、散乱剤もしくはフィラーがパターン状に印刷されたもので構成されていてもよいし、導光層３１の下面を部分的に粗面にすることにより形成されたもので構成されていてもよい。
【００２４】
凹凸層３３は、導光層３１内を伝播する光を外部に取り出す機能を有している。凹凸層３３は、例えば、ドット状の複数の凸部を含んで構成されている。凹凸層３３は、例えば、ナノインプリント法を用いて、導光層３１の上面に微細な凹凸を印刷することにより形成される。
【００２５】
（光学シート４０）
光学シート４０は、導光板３０の上面３０ｂと対向して設けられている。光学シート４０は、例えば、拡散板、拡散シート、レンズフィルム、または偏光分離シートなどにより構成されている。このような光学シート４０を設けることにより、導光板３０から斜め方向に出射した光を正面方向に立ち上げることが可能となり、正面輝度を高めることが可能である。
【００２６】
（シャーシ５０）
シャーシ５０は、例えば、実装基板１０の裏面に固定されたバックシャーシ５１と、実装基板１０、反射構造体２０、導光板３０および光学シート４０の周囲を囲むトップシャーシ５２とにより構成されている。バックシャーシ５１は、実装面１１Ｓの平坦性を維持するための後部筐体であり、例えば、ＦｅやＡｌなどの金属板、ガラス板、または、積層板などにより構成されている。トップシャーシ５２は、実装基板１０、反射構造体２０、導光板３０および光学シート４０を外部から保護するための枠状部材であり、例えば、バックシャーシ５１と共通の材料で構成されている。
【００２７】
[効果]
次に、本実施の形態の発光装置１の効果について説明する。本実施の形態では、側面出射型の複数の発光素子１２が実装面１１Ｓに設けられており、各発光素子１２からの出射光が反射構造体２０の反射部２０Ａによって導光板３０の下面に向かって反射される。これにより、導光板３０から出射される照明光の面内均一性を確保するために必要とされる、各発光素子１２と導光板３０とのクリアランスを、上面出射型の発光素子を備えた発光装置と比べて、狭くすることができる。また、本実施の形態では、導光板３０の下面３０ａおよび上面３０ａに光の入出射を制御する凹凸層３２，３３が設けられている。これにより、各発光素子１２と導光板３０とのクリアランスが狭い場合であっても、導光板３０から出射される照明光の面内均一性を凹凸層３２，３３によって確保することができる。また、本実施の形態では、反射構造体２０が導光板３０（導光板３０の下面３０ａ）に固定されている。これにより、反射構造体２０と導光板３０の凹凸層３２，３３との位置関係を固定することができるので、例えば、凹凸層３２に対して、反射部２０Ａとの位置関係に応じた構造を付与することができる。また、本実施の形態では、反射構造体２０が実装面１１Ｓにも固定されている。これにより、各発光素子１２、反射構造体２０および導光板３０の凹凸層３２，３３のそれぞれの位置関係を固定することができるので、例えば、凹凸層３２に対して、各発光素子１２との位置関係に応じた構造を付与することができる。その結果、導光板３０から出射される照明光の面内均一性を凹凸層３２，３３によって確保することができる。従って、照明光の面内均一性を損なわずに更なる薄型化を図ることができる。
【００２８】
また、本実施の形態では、反射構造体２０が、反射部２０Ａと平坦部２０Ｂとによって構成された、台形を単位とした構造体を有している。これにより、反射構造体２０は、たわみにくい構造となっているので、各発光素子１２と導光板３０とのクリアランスを、反射構造体２０によって維持することができる。従って、各発光素子１２と導光板３０とのクリアランスが発光装置１のたわみによって変動し難くなるので、照明光の面内均一性を損なわずに更なる薄型化を図ることができる。
【００２９】
また、本実施の形態では、反射構造体２０が、反射部２０Ａに囲まれた複数の開口部２０Ｈを有しており、各発光素子１２が、開口部２０Ｈ内に１つずつ配置されている。これにより、各発光素子１２と導光板３０とのクリアランスが単なるデッドスペースとならず、反射構造体２０における補強の一部を担っている。その結果、発光装置１を補強する構造のためのスペースを最小限にとどめることができるので、更なる薄型化を図ることができる。
【００３０】
また、本実施の形態では、各発光素子１２が、実装面１１Ｓ側の面に電極（ｐ側電極１２５、ｎ側電極１２６）が設けられたフリップチップ構造を有する発光ダイオードである。これにより、各発光素子１２がワイヤボンディングで電気的な接続が形成されていたり、各発光素子１２にレンズが設けられていたりする場合と比べて、各発光素子１２と導光板３０とのクリアランスを狭くすることができる。従って、更なる薄型化を図ることができる。
【００３１】
また、本実施の形態では、導光板の前記下面に設けられた凹凸層３２は、各発光素子１２と非対向の位置に屈折透過部３２Ａを有するとともに、各発光素子１２と対向する位置に拡散反射部３２Ｂを有している。これにより、例えば、各発光素子１２からの出射光が導光層３１のうち各発光素子１２の直上部分に集中して入射するのを防止したり、各発光素子１２からの出射光を導光層３１内に効率良く取り込んだりすることができる。さらに、例えば、導光層３１内を伝播する光を、面内均一性の優れた照明光として外部に取り出すことができる。従って、照明光の面内均一性を向上させることができる。
【００３２】
＜２．第２の実施の形態＞
図８は、本開示の第２の実施の形態の表示装置２の全体構成例を表す断面図である。表示装置２は、発光装置１を備え、例えば薄型テレビジョン装置として用いられるものである。表示装置２は、照明光を出射する発光装置１と、発光装置１と重なり合うように配置され、照明光を利用して画像を表示する表示パネル６０とを備えている。表示パネル６０は、トップシャーシ５２に設けられた台座部に、接合層６１を介して固定されている。本実施の形態では、バックライトとして、発光装置１が用いられている。これにより、照明光の面内均一性を損なわずに更なる薄型化を図ることができる。
【００３３】
＜３．発光装置の変形例＞
以下では、発光装置１の変形例について説明する。なお、以下では、上記実施の形態と共通の構成要素に対しては、上記実施の形態で付されていた符号と同一の符号が付される。また、上記実施の形態と異なる構成要素の説明を主に行い、上記実施の形態と共通の構成要素の説明については、適宜、省略するものとする。
【００３４】
[変形例Ａ] 
上記実施の形態の発光装置１では、反射構造体２０が導光板３０（導光板３０の下面３０ａ）および実装面１１Ｓの双方に固定されていた。しかし、例えば、図９に示したように、反射構造体２０が導光板３０（導光板３０の下面３０ａ）だけに固定されていてもよい。このとき、反射構造体２０は、例えば、接合層２１を介して導光板３０（導光板３０の下面３０ａ）に固定されている。このようにした場合であっても、反射構造体２０によって、発光装置１を補強することができるので、照明光の面内均一性を損なわずに更なる薄型化を図ることができる。
【００３５】
[変形例Ｂ]
上記実施の形態の発光装置１において、配線基板１１が、例えば、図１０に示したように、実装面１１Ｓのうち、各発光素子１２の周縁に相対的に反射率の低い低反射面１１Ａ(第１反射面)を有するとともに、実装面１１Ｓのうち、各低反射面１１Ａの周縁に相対的に反射率の高い高反射面１１Ｂ（第２反射面）を有していてもよい。低反射面１１Ａは、例えば、配線基板１１のうち、各発光素子１２の電極（ｐ側電極１２５、ｎ側電極１２６）と電気的に接続される電極パッドが形成されている配線層と同一の配線層内の金属の表面によって構成されている。高反射面１１Ｂは、例えば、実装基板１０の表面を覆う白いレジスト層の表面によって構成されている。これにより、各発光素子１２からの出射光が実装基板１０の表面を覆う白いレジスト層で反射されて、導光板３０の下面３０ａのうち各発光素子１２の直上に集中するのを避けることができる。ここで、低反射面１１Ａおよび高反射面１１Ｂは、新たに別途設けた構造物ではないので、低反射面１１Ａおよび高反射面１１Ｂを設けたことにより発光装置１が厚くなる虞はない。従って、照明光の面内均一性を損なわずに更なる薄型化を図ることができる。
【００３６】
[変形例Ｃ] 
上記実施の形態の発光装置１において、凹凸層３２が実装基板１０を兼ねていてもよい。例えば、図１１に示したように、凹凸層３２において、拡散反射部３２Ｂが省略されるとともに、拡散反射部３２Ｂが設けられていた箇所に発光素子１２が１つずつ設けられている。このようにした場合には、上記実施の形態と比べて、各発光素子１２と導光板３０とのクリアランスが若干広がってしまうが、従来と比べて、照明光の面内均一性を損なわずに更なる薄型化を図ることができる。
【００３７】
[変形例Ｄ] 
上記実施の形態の発光装置１において、反射構造体２０は、例えば、図１２に示したように、反射部２０Ａと、平坦部２０Ｂとによって、三角形を単位とした構造体が構成されていてもよい。このようにした場合であっても、上記実施の形態と同様、照明光の面内均一性を損なわずに更なる薄型化を図ることができる。
【００３８】
[変形例Ｅ] 
上記実施の形態の発光装置１において、例えば、図１３に示したように、各発光素子１２が、開口部２０Ｈ内に複数個（例えば２つ）ずつ配置されていてもよい。このようにした場合であっても、上記実施の形態と同様、照明光の面内均一性を損なわずに更なる薄型化を図ることができる。
【００３９】
[変形例Ｆ] 
上記実施の形態の発光装置１において、例えば、図１４に示したように、反射構造体２０がハニカム構造となっていてもよい。このようにした場合であっても、上記実施の形態と同様、照明光の面内均一性を損なわずに更なる薄型化を図ることができる。
【００４０】
＜４．表示装置の適用例＞
以下、表示装置２の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。換言すれば、表示装置２は、外部から入力された映像信号あるいは内部で生成した映像信号を、画像あるいは映像として表示するあらゆる分野の電子機器に適用することが可能である。
【００４１】
図１５は、表示装置２が適用されるタブレット型端末装置の外観を表したものである。図１６は、表示装置２が適用される他のタブレット型端末装置の外観を表したものである。これらのタブレット型端末装置は、いずれも、例えば表示部２１０および非表示部２２０を有しており、この表示部２１０が表示装置２により構成されている。
【００４２】
＜５．照明装置の適用例＞
図１７、図１８は、発光装置１が適用される卓上用もしくは床置き用の照明装置の外観を表したものである。この照明装置は、例えば、基台８４１に設けられた支柱８４２に、照明部８４３を取り付けたものである。照明部８４３は、発光装置１により構成されている。照明部８４３は、導光板３０を湾曲形状とすることにより、図１７に示した筒状、または図１８に示した曲面状など、任意の形状とすることが可能である。
【００４３】
図１９は、発光装置１が適用される室内用の照明装置の外観を表したものである。この照明装置は、例えば、発光装置１により構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００４４】
これらの照明装置では、発光装置１からの光により、照明が行われる。これにより、照明光の面内均一性に優れた薄型の照明装置を実現することができる。
【００４５】
以上、実施の形態およびその変形例、ならびに適用例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００４６】
また、例えば、本開示は以下のような構成を取ることができる。
（１）
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を備えた
発光装置。
（２）
前記反射構造体は、前記反射部と、前記下面に固定された部分とによって構成された、三角形もしくは台形を単位とした構造体を有する
（１）に記載の発光装置。
（３）
前記実装面を有する配線基板をさらに備え、
前記反射構造体は、前記実装面と前記下面との間隙に配置されるとともに、前記実装面および前記下面の双方に固定されている
（１）または（２）に記載の発光装置。
（４）
前記反射構造体は、前記反射部に囲まれた複数の開口部を有し、
各前記発光素子は、前記開口部内に１つずつまたは複数個ずつ配置されている
（１）ないし（３）のいずれか１つに記載の発光装置。
（５）
各前記発光素子は、前記実装面側の面に電極が設けられたフリップチップ構造を有する発光ダイオードである
（１）ないし（４）のいずれか１つに記載の発光装置。
（６）
前記導光板の前記下面に設けられた前記凹凸層は、各前記発光素子と非対向の位置に屈折透過部を有するとともに、各前記発光素子と対向する位置に拡散反射部を有する
（１）ないし（５）のいずれか１つに記載の発光装置。
（７）
前記配線基板は、前記実装面のうち、各前記発光素子の周縁に相対的に反射率の低い第１反射面を有するとともに、各前記第１反射面の周縁に相対的に反射率の高い第２反射面を有する
（３）に記載の発光装置。
（８）
照明光を出射する発光装置と、
前記発光装置と重なり合うように配置され、前記照明光を利用して画像を表示する表示パネルと
を備え、
前記発光装置は、
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を有する
表示装置。
（９）
照明光を出射する発光装置を備え、
前記発光装置は、
実装面に２次元配置された側面出射型の複数の発光素子と、
各前記発光素子と対向する位置に配置され、下面および上面に光の入出射を制御する凹凸層を有する導光板と、
前記実装面および前記下面のうち少なくとも前記下面に固定され、各前記発光素子からの出射光を前記下面に向かって反射する反射部を有する反射構造体と
を有する
照明装置。
【００４７】
本出願は、日本国特許庁において２０１６年３月３１日に出願された日本特許出願番号第２０１６−０７０４９８号を基礎として優先権を主張するものであり、この出願のすべての内容を参照によって本出願に援用する。
【００４８】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2017169123.tif 000003
【図２】
2017169123.tif 000004
【図３】
2017169123.tif 000005
【図４】
2017169123.tif 000006
【図５】
2017169123.tif 000007
【図６】
2017169123.tif 000008
【図７】
2017169123.tif 000009
【図８】
2017169123.tif 000010
【図９】
2017169123.tif 000011
【図１０】
2017169123.tif 000012
【図１１】
2017169123.tif 000013
【図１２】
2017169123.tif 000014
【図１３】
2017169123.tif 000015
【図１４】
2017169123.tif 000016
【図１５】
2017169123.tif 000017
【図１６】
2017169123.tif 000018
【図１７】
2017169123.tif 000019
【図１８】
2017169123.tif 000020
【図１９】
2017169123.tif 000021
【国際調査報告】
2017169123.tif 000022
2017169123.tif 000023
2017169123.tif 000024
2017169123.tif 000025